(57)【特許請求の範囲】
【請求項１】
ユーザが閲覧中の電子書籍に含まれる画像情報と所定のテキスト情報とを取得する取得部と、
前記取得部により取得された画像情報とテキスト情報とを、前記ユーザが前記電子書籍を閲覧する際に表示される表示枠に表示されるように配信する配信部と
を有することを特徴とする配信装置。
【請求項２】
前記取得部は、前記電子書籍に関連する前記画像情報を取得する
ことを特徴とする請求項１に記載の配信装置。
【請求項３】
前記取得部は、前記電子書籍の属するカテゴリと一致するカテゴリに属する前記画像情報を配信対象の画像情報として取得する
ことを特徴とする請求項２に記載の配信装置。
【請求項４】
前記取得部は、前記電子書籍に含まれるキャラクターを含む前記画像情報を配信対象の画像情報として取得する
ことを特徴とする請求項２または３に記載の配信装置。
【請求項５】
前記取得部は、前記電子書籍を閲覧するユーザのユーザ属性に対応する前記画像情報を配信対象の画像情報として取得する
ことを特徴とする請求項１〜４のいずれか１つに記載の配信装置。
【請求項６】
前記取得部は、前記電子書籍の著者と同一の著者の前記電子書籍に含まれる前記画像情報を配信対象の画像情報として取得する
ことを特徴とする請求項１〜５のいずれか１つに記載の配信装置。
【請求項７】
前記取得部は、前記電子書籍に含まれる前記画像情報を配信対象の画像情報として取得する
ことを特徴とする請求項６に記載の配信装置。
【請求項８】
前記取得部は、前記所定のテキスト情報として所定の広告情報を取得する
ことを特徴とする請求項１〜７のいずれか１つに記載の配信装置。
【請求項９】
前記取得部は、配信対象として取得した前記画像情報に応じた広告情報を配信対象の広告情報として取得する
ことを特徴とする請求項８に記載の配信装置。
【請求項１０】
前記取得部は、配信対象として取得した前記画像情報の属するカテゴリと一致するカテゴリに属する広告情報を配信対象の広告情報として取得する
ことを特徴とする請求項８または９に記載の配信装置。
【請求項１１】
前記配信部は、前記取得部により取得された画像情報とテキスト情報とを一体化した一体化情報を配信する
ことを特徴とする請求項１〜１０のいずれか１つに記載の配信装置。
【請求項１２】
前記配信部は、前記取得部により取得された画像情報に含まれる吹き出しに、前記取得部により取得されたテキスト情報を挿入した一体化情報を配信する
ことを特徴とする請求項１１に記載の配信装置。
【請求項１３】
前記取得部は、複数の画像情報を取得し、
前記配信部は、前記取得部により取得された複数の画像情報と、前記テキスト情報とを前記電子書籍とともに表示される表示枠に表示されるように配信する
ことを特徴とする請求項１〜１２のいずれか１つに記載の配信装置。
【請求項１４】
前記配信部は、隣接する複数の前記表示枠それぞれに、前記取得部により取得された複数の画像情報それぞれと、前記テキスト情報とが表示されるように配信する
ことを特徴とする請求項１３に記載の配信装置。
【請求項１５】
前記配信部は、１つの前記表示枠に、前記取得部により取得された複数の画像情報と前記テキスト情報とを一体化した一体化情報が表示されるように配信する
ことを特徴とする請求項１３に記載の配信装置。
【請求項１６】
前記取得部は、前記画像情報であって、当該画像情報が指定された場合に、当該画像情報とともに表示される前記テキスト情報である広告情報の詳細ページに遷移する画像情報を取得する
ことを特徴とする請求項１〜１５のいずれか１つに記載の配信装置。
【請求項１７】
前記取得部は、前記画像情報であって、当該画像情報が指定された場合に、当該画像情報掲載元のコンテンツの著者の作品集ページへ遷移する画像情報を取得する
ことを特徴とする請求項１〜１６のいずれか１つに記載の配信装置。
【請求項１８】
前記取得部は、前記複数の画像情報として、少なくとも前記画像情報と、吹き出しと、背景画像とを取得する
ことを特徴とする請求項１３に記載の配信装置。
【請求項１９】
コンピュータが実行する配信方法であって、
ユーザが閲覧中の電子書籍に含まれる画像情報と所定のテキスト情報とを取得する取得工程と、
前記取得工程により取得された画像情報とテキスト情報とを、前記ユーザが前記電子書籍を閲覧する際に表示される表示枠に表示されるように配信する配信工程と
を含んだことを特徴とする配信方法。
【請求項２０】
ユーザが閲覧中の電子書籍に含まれる画像情報と所定のテキスト情報とを取得する取得手順と、
前記取得手順により取得された画像情報とテキスト情報とを、前記ユーザが前記電子書籍を閲覧する際に表示される表示枠に表示されるように配信する配信手順と
をコンピュータに実行させることを特徴とする配信プログラム。
【発明の詳細な説明】
【技術分野】
【０００１】
本発明は、配信装置、配信方法および配信プログラムに関する。
【背景技術】
【０００２】
近年、インターネットの飛躍的な普及に伴い、インターネットを介した広告配信が盛んに行われている。例えば、広告媒体（例えば、ウェブページ）に設定された広告枠に、企業や商品等の広告コンテンツを表示し、かかる広告コンテンツがクリックされた場合に広告主のウェブページへ遷移させる広告配信が行われている。
【０００３】
また、小説やコミック等のコンテンツ（例えば、各種書籍をデジタル化した電子書籍）をユーザの端末装置に配信し、端末装置にインストールされた所定のアプリケーション（例えば、電子書籍ビューア）等を用いて、かかるコンテンツを閲覧可能にするといった技術が確立されてきている。
【０００４】
ここで、コンテンツに広告コンテンツを挿入する技術が提案されている。例えば、特許文献１では、コンテンツを表示手段に表示させた際に、所定のテキスト情報（例えば、広告に関するテキスト情報）を表示手段に表示可能な隙間があるか否かを検出し、隙間領域があったことが検出された場合には、この検出された隙間領域にテキストを表示させる。
【先行技術文献】
【特許文献】
【０００５】
【特許文献１】特開２００２−１０９３５９号公報
【発明の概要】
【発明が解決しようとする課題】
【０００６】
しかし、上記の従来技術では、必ずしもコンテンツとともに表示するテキスト情報の訴求効果を向上させることができるとは限らない。例えば、上記の従来技術は、隙間領域があることが検出された場合には、その隙間領域にコンテンツに含まれるコマの内容に即したテキスト情報を表示させる。しかしながら、そもそもコンテンツの閲覧を主眼とするユーザが、広告に関するテキスト情報を注視しないこともあり、上記の従来技術では、必ずしも電子書籍とともに表示するテキスト情報の訴求効果を向上させることができるとは限らない。
【０００７】
本願は、上記に鑑みてなされたものであって、電子書籍とともに表示するテキスト情報の訴求効果を向上させることができる配信装置、配信方法および配信プログラムを提供することを目的とする。
【課題を解決するための手段】
【０００８】
本願にかかる配信装置は、書籍に含まれる画像情報と所定のテキスト情報とを取得する取得部と、前記取得部により取得された画像情報とテキスト情報とを、電子書籍とともに表示される表示枠に表示されるように配信する配信部とを有することを特徴とする。
【発明の効果】
【０００９】
実施形態の一態様によれば、電子書籍等のコンテンツとともに表示するテキスト情報の訴求効果を向上させることができる配信装置、配信方法および配信プログラムを提供することができる。
【図面の簡単な説明】
【００１０】
【図１】図１は、実施形態にかかる広告配信処理の一例を示す図である。
【図２】図２は、実施形態にかかる配信装置の構成例を示す図である。
【図３】図３は、実施形態にかかる画像情報記憶部の一例を示す図である。
【図４】図４は、実施形態にかかる広告情報記憶部の一例を示す図である。
【図５】図５は、実施形態にかかる配信装置による広告配信処理手順を示すフローチャートである。
【図６】図６は、ユーザ属性に対応する画像情報記憶部の一例を示す図である。
【図７Ａ】図７Ａは、電子書籍の内容ページの一例を示す図である。
【図７Ｂ】図７Ｂは、著者に対応する画像情報記憶部の一例を示す図である。
【図７Ｃ】図７Ｃは、端末装置の表示画面に表示された内容ページの一例を示す図である。
【図８】図８は、著書に対応する画像情報記憶部の一例を示す図である。
【図９Ａ】図９Ａは、複数の広告枠それぞれに画像情報を表示する処理の説明図である。
【図９Ｂ】図９Ｂは、複数の広告枠それぞれに画像情報を表示する場合における画像情報記憶部の一例を示す図である。
【図９Ｃ】図９Ｃは、複数の広告枠それぞれに画像情報が表示された場合の一例を示す図である。
【図１０】図１０は、配信装置の機能を実現するコンピュータの一例を示すハードウェア構成図である。
【発明を実施するための形態】
【００１１】
以下に、本願にかかる配信装置、配信方法および配信プログラムを実施するための形態（以下、「実施形態」と呼ぶ）について図面を参照しつつ説明する。なお、この実施形態により本願にかかる配信装置、配信方法および配信プログラムが限定されるものではない。また、以下の実施形態において、同一の部位には同一の符号を付し、重複する説明は省略される。
【００１２】
〔１．広告配信処理〕
以下では、図１を用いて、実施形態にかかる広告配信処理の一例について説明する。図１は、実施形態にかかる広告配信処理の一例を示す図である。図１では、広告配信システム１によって広告配信処理が行われる例を示す。
【００１３】
図１に示す例では、広告配信システム１は、端末装置１０、電子書籍サーバ１００および配信装置２００を有する。端末装置１０と、電子書籍サーバ装置１００と、配信装置２００とは、ネットワークを介して無線または有線により通信可能に接続される。なお、図１に示す広告配信システム１には、複数台の端末装置１０や、複数台の電子書籍サーバ装置１００や、複数台の配信装置２００が含まれてもよい。
【００１４】
端末装置１０は、ユーザによって利用される端末装置である。また、端末装置１０は、例えば、タブレット型端末、ＰＣ（Personal  Computer）、携帯電話機、ＰＤＡ（Personal  Digital  Assistant）等である。また、端末装置１０には、各種電子書籍を閲覧可能に提供する所定のアプリケーションがインストールされているものとする。例えば、かかるアプリケーション（「電子書籍アプリＡ１」とする）は、紙媒体の書籍（例えば、漫画本）をデジタル化した電子書籍（電子漫画）を、「マンガ大全集Ｚ」といった漫画専用ウェブサイトを介して、閲覧可能に提供する機能を有する。
【００１５】
また、後に詳述するが、マンガ大全集Ｚに含まれる所定のウェブページには、所定の広告枠（表示枠の一例）が設けられており、ここには、画像情報と広告情報が表示される。これにより、かかる所定のウェブページをリクエストした端末装置１０には、例えば、電子書籍とともに画像情報と広告情報が表示される。
【００１６】
電子書籍サーバ１００は、電子書籍アプリＡ１の管理や、電子書籍アプリＡ１によって表示される漫画専用ウェブサイト「マンガ大全集Ｚ」の配信に関する各種制御等を行う。
【００１７】
配信装置２００は、広告情報等を配信するサーバ装置である。具体的には、配信装置２００は、書籍に含まれる画像情報と所定のテキスト情報とを記憶部から取得する。本実施形態において、書籍は、ウェブサイト「マンガ大全集Ｚ」で扱われる書籍、および、かかる書籍がデジタル化された電子書籍であるものとする。しかし、この例に限られず、書籍は、例えば、新聞、雑誌、各種辞書、参考書、写真集、作品集等であってもよく、また、これらがデジタル化されたものであってもよい。そして、配信装置２００は、表示対象の電子書籍（ユーザに閲覧される電子書籍）とともに表示される広告枠に、取得した画像情報とテキスト情報とが表示されるように端末装置１０に配信する。以下では、広告配信処理の流れについて具体的に説明する。
【００１８】
まず、端末装置１０のユーザが、電子書籍アプリＡ１を起動したとする。そして、表示されたウェブサイト「マンガ大全集Ｚ」のＴＯＰページから、ユーザが、カテゴリ「恋愛」に属する漫画の検索を指示したとする。これにより、端末装置１０は、カテゴリ「恋愛」の検索結果一覧ページであるウェブページＰ１のページリクエストを電子書籍サーバ１００に送信する（ステップＳ１）。
【００１９】
電子書籍サーバ１００は、ウェブページＰ１のページリクエストを受け付けると、カテゴリ「恋愛」に属する漫画を検索し、ウェブページＰ１を生成する。図１（ａ）は、ウェブページＰ１の一例である。図１（ａ）の例では、ウェブページＰ１には、カテゴリ「恋愛」の検索結果一覧として、コミックＢ１およびＢ２が含まれる。また、ウェブページＰ１には、広告情報が表示される広告枠Ｆ１が含まれる。そして、電子書籍サーバ１００は、このようなウェブページＰ１を端末装置１０に配信する（ステップＳ２）。これにより、端末装置１０は、コミックＢ１およびＢ２とともに、所定の広告情報を表示することになる。
【００２０】
そして、端末装置１０は、ウェブページＰ１を受け付けると、受け付けたウェブページＰ１に広告取得命令が含まれることから、広告リクエストを配信装置２００に送信する（ステップＳ３）。例えば、端末装置１０は、カテゴリ「恋愛」を含む広告リクエストを配信装置２００に送信する。
【００２１】
配信装置２００は、広告リクエストを受け付けると、カテゴリ「恋愛」が対応付けられているテンプレート画像を画像情報記憶部２２１から取得する（ステップＳ４）。図１に示すように、画像情報記憶部２２１には、マンガ大全集Ｚで扱われる書籍（漫画）に含まれるコマから抽出された画像情報がテンプレート画像として登録されている。また、各テンプレート画像には、そのテンプレート画像掲載元の漫画が属するカテゴリである「コミックカテゴリ」が対応付けて登録されている。
【００２２】
また、各テンプレート画像には、どのようなカテゴリに属する広告情報を当該テンプレート画像とともに表示されるようにするか判断するための条件情報である「広告カテゴリ」が対応付けて登録されている。「広告カテゴリ」には、対応するテンプレート画像に適したものが登録されることが望ましい。例えば、テンプレート画像Ｇ１が女性キャラクターを含むとすると、テンプレート画像Ｇ１には、広告カテゴリ「女性用」を対応付けて登録されることが望ましい。
【００２３】
なお、本実施形態では、画像情報記憶部２２１へのテンプレート画像、コミックカテゴリおよび広告カテゴリの登録は、予め配信装置２００の管理者によって行われているものとする。例えば、配信装置２００の管理者は、「マンガ大全集Ｚ」で扱われる漫画から任意のコマを少なくとも１つ選択し、選択したコマから抽出した画像情報を「テンプレート画像」として画像情報記憶部２２１に登録する。また、かかる管理者は、画像情報の抽出元の漫画に対応付けられているカテゴリを「コミックカテゴリ」として画像情報記憶部２２１に登録する。なお、テンプレート画像は、必ずしも「マンガ大全集Ｚ」で扱われる漫画から抽出される必要はなく、例えば、上述したように、新聞、雑誌、各種辞書、参考書、写真集、作品集等から抽出されてもよい。
【００２４】
そして、配信装置２００は、ステップＳ４において、広告リクエストを受け付けると、かかる広告リクエストにカテゴリ「恋愛」が含まれていることにより、画像情報記憶部２２１を参照し、コミックカテゴリ「恋愛」が対応付けられているテンプレート画像Ｇ１を取得する。これにより、配信装置２００は、ユーザにより検索されたカテゴリと同一カテゴリに属する漫画から抽出されたテンプレート画像を取得することができる。
【００２５】
ここで、図１（ｂ）にテンプレート画像Ｇ１を示す。テンプレート画像Ｇ１には、図１（ｂ）に示すように、女性キャラクターＣｈ１と吹き出しＲ１とが含まれる。
【００２６】
次に、配信装置２００は、取得したテンプレート画像Ｇ１とともに表示される広告情報を広告情報記憶部２２２から取得する（ステップＳ５）。図１に示すように、広告情報記憶部２２２には、広告主から受け付けた広告情報と、広告カテゴリとが登録されている。
【００２７】
広告情報は、テキスト形式の広告文である。すなわち、本実施形態において、広告情報は、テキスト情報の一例である。広告カテゴリは、テンプレート画像とのマッチングに用いられる条件情報である。
【００２８】
例えば、配信装置２００は、ステップＳ４で取得したテンプレート画像Ｇ１に広告カテゴリ「女性用」が対応付けられていることにより、ステップＳ５では、広告カテゴリ「女性用」が対応付けられている広告情報ＡＤ１を取得する。図１（ｃ）に示すように、広告情報ＡＤ１は、例えば、「乾燥肌にはＡＢ化粧品が効果的！」といったテキスト情報である。
【００２９】
そして、配信装置２００は、取得したテンプレート画像Ｇ１と広告情報ＡＤ１とを一体化する（ステップＳ６）。例えば、配信装置２００は、テンプレート画像Ｇ１に含まれる吹き出しＲ１中に広告情報ＡＤ１を挿入する。このように、吹き出しＲ１中に広告情報ＡＤ１を挿入されたテンプレート画像Ｇ１を広告コンテンツ「Ｇ１＋ＡＤ１」とする。そして、配信装置２００は、広告コンテンツ「Ｇ１＋ＡＤ１」を、広告リクエスト送信元の端末装置１０に配信する（ステップＳ７）。
【００３０】
そして、端末装置１０は、配信装置２００から受け付けた広告コンテンツ「Ｇ１＋ＡＤ１」を広告枠Ｆ１に配置したウェブページＰ１を表示する（ステップＳ８）。ここで、図１（ｄ）は、端末装置１０の表示画面１３に表示されたウェブページＰ１の一例を示す。端末装置１０によりウェブページＰ１が表示されることにより、図１（ｄ）に示すように、テンプレート画像Ｇ１に含まれる吹き出しＲ１に広告情報ＡＤ１が挿入されたテンプレート画像Ｇ１が広告枠Ｆ１に表示される。
【００３１】
このように、実施形態にかかる配信装置２００は、書籍に含まれる画像情報と、所定のテキスト情報とを記憶部から取得し、取得した画像情報であるテンプレート画像と、テキスト情報である広告情報を一体化する。そして、配信装置２００は、一体化したものを広告コンテンツとして端末装置１０に表示させる。これにより、配信装置２００は、例えば、図１（ｄ）に示すように、所定の漫画中に実際に登場するキャラクターが広告情報をアピールしてるかのごとくユーザに見せることができる。
【００３２】
例えば、電書書籍アプリＡ１を起動して漫画を閲覧しようとするユーザは高確率で漫画好きといえる。ここで、漫画とともに一般的な広告情報を表示したとしても、漫画を注視しているユーザがともに表示された広告情報にまで注意を向ける可能性は高くない。そこで、ユーザが漫画好きであることを利用し、所定の漫画中に実際に登場するキャラクターが広告情報をアピールしているかのごとくユーザに見せることで、配信装置２００は、広告情報へのユーザの興味を高めることができる。これにより、配信装置２００は、テキスト情報である広告情報の訴求力を向上させることができる。
【００３３】
〔２．配信装置の構成〕
次に、図２を用いて実施形態にかかる配信装置２００の構成について説明する。図２は、実施形態にかかる配信装置２００の構成例を示す図である。図２に示すように、配信装置２００は、通信部２１０と、記憶部２２０と、制御部２３０とを有する。
【００３４】
通信部２１０は、例えば、ＮＩＣ（Network  Interface  Card）等によって実現される。そして、通信部２１０は、ネットワークと有線または無線で接続され、端末装置１０や電子書籍サーバ１００との間で情報の送受信を行う。
【００３５】
記憶部２２０は、例えば、ＲＡＭ（Random  Access  Memory）、フラッシュメモリ（Flash  Memory）等の半導体メモリ素子、または、ハードディスク、光ディスク等の記憶装置によって実現される。記憶部２２０は、画像情報記憶部２２１と広告情報記憶部２２２を有する。
【００３６】
画像情報記憶部２２１は、テンプレート画像に関する各種情報を記憶する記憶部である。ここで、図３に実施形態にかかる画像情報記憶部２２１の一例を示す。図３の例では、画像情報記憶部２２１は、「画像ＩＤ」、「テンプレート画像」、「コミックカテゴリ」、「広告カテゴリ」といった項目を有する。
【００３７】
「画像ＩＤ」は、各テンプレート画像を識別するための識別情報である。「テンプレート画像」は、所定の書籍に含まれる画像情報を示す。上記のように、書籍は、ウェブサイト「マンガ大全集Ｚ」で扱われる書籍、および、かかる書籍がデジタル化された電子書籍である。しかし、これに限らず、その他のあらゆる本関係のコンテンツ、例えば、新聞、雑誌、各種辞書、参考書、写真集、作品集等でもよい。そして、例えば、配信装置２００の管理者は、このような所定の書籍から任意のコマ、文章、イラスト、写真等の画像情報を少なくとも１つ選択する。そして、管理者は、選択した画像情報を「テンプレート画像」として画像情報記憶部２２１に登録する。
【００３８】
なお、さらに管理者は、抽出したテンプレート画像にライセンス処理（例えば、著作権上処理）をしたうえで、画像情報記憶部２２１に登録する。例えば、管理者は、抽出したテンプレート画像掲載元の著者に対し、かかるテンプレート画像を使用してよい旨の承諾を得ることにより、ライセンス処理を施し画像情報記憶部２２１に登録する。
【００３９】
「コミックカテゴリ」は、テンプレート画像掲載元の漫画が属するカテゴリを示す。例えば、配信装置２００の管理者は、画像情報（テンプレート画像）を抽出する際に、その画像情報掲載元の漫画が属するカテゴリも特定しコミックカテゴリに格納する。すなわち、コミックカテゴリは、漫画が属するカテゴリであるとともに、画像情報の属するカテゴリでもある。
【００４０】
「広告カテゴリ」は、どのようなカテゴリに属する広告情報をテンプレート画像とともに表示されるようにするか判断するための条件情報を示す。「広告カテゴリ」には、対応するテンプレート画像に適したものが登録されることが望ましい。
【００４１】
すなわち、図３では、画像ＩＤ「Ｔ１」によって識別されるテンプレート画像Ｇ１が、コミックカテゴリ「恋愛」に属し、広告カテゴリ「女性用」が対応付けられている例を示す。
【００４２】
次に、広告情報記憶部２２２は、広告情報に関する各種情報を記憶する記憶部である。ここで、図４に実施形態にかかる広告情報記憶部２２２の一例を示す。図４の例では、広告情報記憶部２２２は、「広告主ＩＤ」、「広告情報」、「広告カテゴリ」、「入札価格」、「ＣＴＲ」、「ｅＣＰＭ」および「ＵＲＬ」といった項目を有する。
【００４３】
「広告主ＩＤ」は、広告主または広告主によって広告コンテンツ入稿等に利用される端末装置（広告主端末）を識別するための識別情報を示す。「広告情報」は、広告主により入稿された広告情報を示す。例えば、広告情報は、テキスト形式で入稿される。
【００４４】
「入札価格」は、広告主が広告情報を入稿する際に指定する広告料金を示す。例えば、「入札価格」は、広告情報がユーザに１回クリックされた際に広告主から広告配信者（例えば、配信装置２００の管理者）に支払われる単価に該当する。
【００４５】
「ＣＴＲ」（Crick  Through  Rate）は、広告情報がクリックされた回数を広告情報の表示回数によって除算した値を示す。なお、端末装置１０に配信されたことがない広告情報のＣＴＲには、予め決められている固定値や、全ての広告情報におけるＣＴＲの平均値等が記憶される。また、「ＣＴＲ」には、ＣＴＲの予測モデル等から予測される予測ＣＴＲが記憶されてもよい。このような予測ＣＴＲは、例えば、広告情報の種別や、広告情報が表示されるウェブページの種別等によって予測される。
【００４６】
「ｅＣＰＭ」（effective  Cost  Per  Mille）は、広告情報の１０００回表示辺りの期待収益額を示し、例えば、ＣＴＲに入札価格を乗じることにより算出することができる。「ＵＲＬ」は、後述する配信部２３４により広告情報が挿入された画像情報が指定された場合に、現在表示中のページから遷移される遷移先ページである広告詳細ページ（ランディングページ）のＵＲＬを示す。
【００４７】
すなわち、図４では、広告主ＩＤ「Ｃ１」によって識別される広告主が、広告情報「ＡＤ１」を入稿するとともに、入札価格「１１０円」、広告カテゴリ「女性用」およびランディングページのＵＲＬ（ａａａ．ｃｏｍ）を指定している例を示す。また、図４では、広告情報「ＡＤ１」のＣＴＲが「０．２」、ｅＣＰＭが「２２円」である例を示す。
【００４８】
図２に戻り、制御部２３０は、例えば、ＣＰＵ（Central  Processing  Unit）やＭＰＵ（Micro  Processing  Unit）等によって、配信装置２００内部の記憶装置に記憶されている各種プログラムがＲＡＭを作業領域として実行されることにより実現される。また、制御部２３０は、例えば、ＡＳＩＣ（Application  Specific  Integrated  Circuit）やＦＰＧＡ（Field  Programmable  Gate  Array）等の集積回路により実現される。
【００４９】
図２に示すように、制御部２３０は、入稿受付部２３１と、要求受付部２３２と、取得部２３３と、配信部２３４とを有し、以下に説明する情報処理の機能や作用を実現または実行する。制御部２３０の内部構成は、図２に示した情報に限られず、後述する情報処理を行う構成であれば他の構成であってもよい。また、制御部２３０が有する各処理部の接続関係は、図２に示した接続関係に限られず、他の接続関係であってもよい。
【００５０】
入稿受付部２３１は、広告主端末から広告情報の入稿を受け付ける。具体的には、入稿受付部２３１は、入札価格、広告カテゴリおよびランディングページのＵＲＬの指定とともに広告情報の入稿を受け付ける。そして、入稿受付部２３１は、入稿元の広告主に対する広告主ＩＤに対応付けて、受け付けた広告情報および入札価格を広告情報記憶部２２２に格納する。
【００５１】
要求受付部２３２は、広告情報の取得要求である広告リクエストを受け付ける。例えば、要求受付部２３２は、広告リクエストとして、ＨＴＴＰリクエストを端末装置１０から受け付ける。
【００５２】
取得部２３３は、書籍に含まれる画像情報と、所定のテキスト情報とを記憶部から取得する。具体的には、取得部２３３は、書籍に含まれる画像情報がテンプレート画像として格納されている画像情報記憶部２２１からテンプレート画像を取得する。例えば、取得部２３３は、ユーザにより閲覧される電子書籍に関連するテンプレート画像を取得する。
【００５３】
ユーザにより閲覧される電子書籍に関連するテンプレート画像を取得する一例として、取得部２３３は、例えば、かかる電子書籍の属するカテゴリと一致するカテゴリに属するテンプレート画像を配信対象の画像情報として、画像情報記憶部２２１から取得する。この点について、図１を用いて説明する。
【００５４】
例えば、図１で示したように、ユーザがカテゴリ「恋愛」に属する電子書籍（電子漫画）を閲覧しようと、電子書籍アプリＡ１を起動したとする。そして、ユーザが、電子書籍アプリＡ１により表示されたウェブサイト「マンガ大全集Ｚ」からカテゴリ「恋愛」の検索を行ったとする。
【００５５】
これにより、端末装置１０は、電子書籍サーバ１００から受け付けた検索結果一覧ページであるウェブページＰ１に広告枠Ｆ１（広告取得命令）が含まれていることにより、カテゴリ「恋愛」を含む広告リクエストを配信装置２００に送信する。
【００５６】
配信装置２００の要求受付部２３２により広告リクエストが受け付けられると、取得部２３３は、広告リクエストにカテゴリ「恋愛」が含まれていることにより、画像情報記憶部２２１を参照し、コミックカテゴリ「恋愛」が対応付けられているテンプレート画像Ｇ１を配信対象の画像情報として取得する。これにより、配信装置２００は、ユーザにより閲覧される電子書籍の属するカテゴリと同一カテゴリに属する漫画から抽出されたテンプレート画像を取得することができる。
【００５７】
また、取得部２３３は、配信対象として取得したテンプレート画像に応じた広告コンテンツを配信対象の広告情報として、広告情報記憶部２２２から取得する。この点について、取得部２３３が、テンプレート画像Ｇ１を配信対象の画像情報として取得した場合を例に説明する。
【００５８】
取得部２３３は、取得したテンプレート画像Ｇ１に広告カテゴリ「女性用」が対応付けられていることにより、広告カテゴリ「女性用」が対応付けられている広告情報ＡＤ１およびＡＤ３を特定する。ここで、取得部２３３は、ウェブページＰ１には、広告枠が１つだけ含まれていることにより、広告情報ＡＤ１とＡＤ３とのｅＣＰＭの比較を行い、ｅＣＰＭの高い方の広告情報ＡＤ１を配信対象の広告情報として、広告情報記憶部２２２から取得する。
【００５９】
図２に戻り、配信部２３４は、取得部２３３により取得されたテンプレート画像と広告情報とを、電子書籍とともに表示される広告枠Ｆ１に表示されるように配信する。例えば、配信部２３４は、取得部２３３により抽出されたテンプレート画像と広告情報とを一体化する。そして、配信部２３４は、テンプレート画像と広告情報とを一体化した広告コンテンツを、電子書籍とともに表示される広告枠Ｆ１に表示されるように配信する。
【００６０】
例えば、上記のように、取得部２３３によりテンプレート画像Ｇ１および広告情報ＡＤ１が取得されたとする。ここで、図１に示すように、テンプレート画像Ｇ１には、吹き出しＲ１が含まれることから、配信部２３４は、吹き出しＲ１に広告情報ＡＤ１を挿入する。
【００６１】
また、配信部２３４は、このようにしてテンプレート画像Ｇ１と広告情報ＡＤ１とを一体化した広告コンテンツ「Ｇ１＋ＡＤ１」にランディングページのＵＲＬ「ａａａ．ｃｏｍ」を張り付ける。そして、配信部２３４は、広告コンテンツ「Ｇ１＋ＡＤ１」を端末装置１０に配信する。
【００６２】
そして、端末装置１０は、配信装置２００から受け付けた広告コンテンツ「Ｇ１＋ＡＤ１」を広告枠Ｆ１に配置したウェブページＰ１を表示する。これにより、ユーザが閲覧しようとする電子書籍であって、カテゴリ「恋愛」に属する電子書籍の一覧とともに、広告コンテンツ「Ｇ１＋ＡＤ１」が表示画面１３に表示される。
【００６３】
このように、配信装置２００は、ユーザにより閲覧される電子書籍の属するカテゴリと一致するカテゴリに属するテンプレート画像を取得するとともに、取得したテンプレート画像に応じた広告情報を取得する。そして、配信装置２００は、取得したテンプレート画像と広告情報とを一体化した広告コンテンツを電子書籍とともに表示させる。
【００６４】
例えば、恋愛系漫画にバトル系漫画に登場するキャラクターを含む広告コンテンツが表示されると、ユーザによっては違和感を覚える場合がある。しかし、このように、ユーザに閲覧される電子書籍とテンプレート画像とのカテゴリを統一することで、配信装置２００は、ユーザが閲覧している電子書籍を妨害することなく、また、ユーザに違和感を与えることなく電子書籍に広告コンテンツを溶け込ませることができる。これにより、配信装置２００は、ユーザに対し無意識のうちに広告コンテンツをクリックさせることができるため広告効果を高めることができる。
【００６５】
なお、取得部２３３が、ユーザにより閲覧される電子書籍の属するカテゴリと一致するカテゴリに属するテンプレート画像を取得する例を示したが、カテゴリを考慮せず、画像情報記憶部２２１からランダムにテンプレート画像を取得してもよい。
【００６６】
例えば、ユーザが、電子書籍アプリＡ１を起動した場合、端末装置１０は、ウェブサイト「マンガ大全集Ｚ」のＴＯＰページであるウェブページＰ２のリクエストを電子書籍サーバ１００に送信する。電子書籍サーバ１００は、ウェブページＰ２のリクエストを受け付けると、新着の電子書籍一覧を表示するウェブページＰ２を端末装置１０に配信する。このような、新着の電子書籍一覧には、様々なカテゴリに属する電子書籍が含まれる。このため、端末装置１０は、ウェブページＰ２に広告取得命令が含まれることにより、カテゴリ指定を含まない広告リクエスト、または、カテゴリ「新着」を含む広告リクエストを配信装置２００に送信する。
【００６７】
そして、取得部２３３は、要求受付部２３２により、例えば、カテゴリ「新着」を含む広告リクエストが受け付けられると、画像情報記憶部２２１を参照し、ランダムにテンプレート画像を取得する。以降の処理は、上述してきたものと同様であるため省略する。
【００６８】
〔３．処理手順〕
次に、図５を用いて、実施形態にかかる配信装置２００が実行する広告配信処理の手順について説明する。図５は、実施形態にかかる配信装置２００による広告配信処理手順を示すフローチャートである。
【００６９】
まず、配信装置２００の要求受付部２３２は、端末装置１０から広告リクエストを受け付けたか否かを判定する（ステップＳ１０１）。要求受付部２３２は、広告リクエストを受け付けた場合には（ステップＳ１０１；Ｙｅｓ）、広告リクエストに含まれるカテゴリであって、広告リクエスト送信元のユーザにより閲覧される電子書籍の属するカテゴリを取得部２３３に送信する（ステップＳ１０２）。
【００７０】
取得部２３３は、電子書籍の属するカテゴリと同一カテゴリに属するテンプレート画像を画像情報記憶部２２１から取得する（ステップＳ１０３）。具体的には、取得部２３３は、画像情報記憶部２２１を参照し、電子書籍の属するカテゴリと一致するコミックカテゴリが対応付けられているテンプレート画像を取得する。
【００７１】
また、取得部２３３は、取得したテンプレート画像に応じた広告情報を広告情報記憶部２２２から取得する（ステップＳ１０４）。具体的には、取得部２３３は、画像情報取得部２２１を参照し、取得したテンプレート画像に対応付けられている広告カテゴリを特定する。そして、取得部２３３は、広告情報記憶部２２２を参照し、特定した広告カテゴリと一致する広告カテゴリが対応付けられている広告画像を取得する。そして、取得部２３３は、取得したテンプレート画像と広告情報とを配信部２３４に送信する（ステップＳ１０５）。
【００７２】
配信部２３４は、取得部２３３により取得されたテンプレート画像と広告情報とを、ユーザにより閲覧される電子書籍とともに表示されるように配信する（ステップＳ１０６）。例えば、配信部２３４は、取得部２３３により抽出されたテンプレート画像と広告情報とを一体化するとともに、一体化して得られた広告コンテンツにランディングページのＵＲＬを張り付ける。そして、配信部２３４は、テンプレート画像と広告情報とを一体化した広告コンテンツを、広告リクエスト送信元の端末装置１０に配信する。
【００７３】
〔４．変形例〕
上述した実施形態は、上記実施形態以外にも種々の異なる形態にて実施されてよい。そこで、以下では、他の実施形態について説明する。
【００７４】
〔４−１．ユーザ属性に基づいて画像取得〕
上記実施形態では、配信装置２００の取得部２３３が、ユーザにより閲覧される電子書籍の属するカテゴリと一致するカテゴリに属するテンプレート画像を取得する例を示した。しかし、取得部２３３は、電子書籍を閲覧するユーザのユーザ属性に対応するテンプレート画像を配信対象の画像情報として取得してもよい。このような場合、配信装置２００は、図３に示した、画像情報記憶部２２１の代わりに画像情報記憶部２２１ａを有する。
【００７５】
図６は、ユーザ属性に対応する画像情報記憶部２２１ａの一例を示す図である。図６に示すように、画像情報記憶部２２１ａには、「コミックカテゴリ」に代わって項目「属性カテゴリ」が含まれる。「属性カテゴリ」は、電子書籍を閲覧するユーザのユーザ属性とのマッチングを行う際に用いられる条件情報を示す。なお、画像情報記憶部２２１ａへの属性カテゴリの登録は、配信装置２００の管理者によって予め行われているものとする。例えば、かかる管理者は、８０年代に流行した女性向け漫画から抽出したテンプレート画像には、ユーザの当時と現在の年齢を考慮して「３０代女性」といった属性カテゴリを対応付けることが考えられる。
【００７６】
また、図示しないが、配信装置２００は、ユーザＩＤに対応付けてユーザ属性が登録されたユーザ属性記憶部を有する。以下では、配信装置２００が画像情報記憶部２２１ａを有する場合の広告配信処理について、図１を用いて説明する。
【００７７】
例えば、ステップＳ３において、端末装置１０から広告リクエストが送信されたとする。かかる広告リクエストには、端末装置１０および端末装置１０のユーザを識別するためのユーザＩＤが含まれる。そして、広告リクエストが要求受付部２３２により受け付けられると、取得部２３３は、ユーザ属性記憶部を参照し、広告リクエストに含まれるユーザＩＤに対応付けられているユーザ属性を取得する。ここでは、取得部２３３は、ユーザ属性「２５歳、女性」を取得したとする。
【００７８】
次に、取得部２３３は、画像情報記憶部２２１ａを参照し、ユーザ属性「２５歳、女性」を満たす属性カテゴリ「２０代女性」が対応付けられているテンプレート画像Ｇ１を配信対象として取得する。また、取得部２３３は、取得したテンプレート画像Ｇ１に広告カテゴリ「女性用」が対応付けられていることにより、広告情報記憶部２２２を参照し、広告カテゴリ「女性用」が対応付けられ、かつ、ｅＣＰＭの高い広告情報ＡＤ１を配信対象として取得する。そして、配信部２３４は、取得部２３３により抽出されたテンプレート画像Ｇ１と広告情報ＡＤ１とを一体化した広告コンテンツ「Ｇ１＋ＡＤ１」を端末装置１０に配信する。
【００７９】
このように、配信装置２００は、電子書籍を閲覧するユーザのユーザ属性に対応するテンプレート画像を配信対象として取得する。これにより、配信装置２００は、ユーザに好まれ易いキャラクター、あるいは、ユーザが思い入れのあるキャラクターが広告情報をアピールしてるいかのごとく見せることができるため、広告情報の訴求効果を向上させることができる。
【００８０】
〔４−２．著者に基づいて画像取得〕
上記実施形態では、配信装置２００が、カテゴリ毎の電子書籍一覧ページ（例えば、図１に示すウェブページＰ１）にテンプレート画像と広告情報とを一体化した広告コンテンツを表示させる例を示した。しかし、配信装置２００は、このような一覧ページではなく、ユーザに指定された電子書籍そのものの中身のページ（内容ページ）とともに広告コンテンツを表示させてもよい。
【００８１】
例えば、図１（ｄ）に示すウェブページＰ１において、ユーザがコミックＢ１（１巻）を指定したとする。これにより、端末装置１０は、電子書籍アプリＡ１によりコミックＢ１（１巻）の内容ページを電子書籍サーバ１００から受け付ける。そして、端末装置１０は、ユーザの指示に従い、受け付けたコミックＢ１（１巻）の内容ページを２ページずつ表示する。ここで、各内容ページには広告枠が設けられており、所定の内容ページには広告取得命令が含まれているものとする。ここで、図７Ａに、電子書籍の内容ページの一例を示す。
【００８２】
図７Ａに示す内容ページＰ３は、ユーザに指定されたコミックＢ１（１巻）の１０ページと１１ページを含む。図７Ａに示すように、かかる内容ページＰ３には、電子書籍とともに広告枠Ｆ２およびＦ３が含まれる。そして、端末装置１０は、内容ページＰ３を表示する際に、広告リクエストを配信装置２００に送信する。以下では、本変形例にかかる配信装置２００による広告配信処理について具体的に説明する。
【００８３】
このように、内容ページとともに広告コンテンツを表示させる場合、例えば、コミックＢ１と異なる書籍から抽出されたテンプレート画像を含む広告コンテンツが表示されると、内容ページの描写タッチとテンプレート画像の描写タッチとが異なることで、ユーザによっては違和感を覚える場合がある。そこで、配信装置２００の取得部２３３は、内容ページ掲載元の電子書籍の著者と同一の原作者により描かれた書籍から抽出されたテンプレート画像を配信対象として取得する。このような場合、配信装置２００は、図３に示した、画像情報記憶部２２１の代わりに画像情報記憶部２２１ｂを有する。
【００８４】
図７Ｂは、著者に対応する画像情報記憶部の一例を示す図である。図７Ｂに示すように、画像情報記憶部２２１ｂには、項目「著者名」がさらに含まれる。また、ここでの「テンプレート画像」は、対応する著者によって描かれた書籍（漫画）から抽出された画像情報を示す。すなわち、図７Ｂの例では、画像ＩＤ「Ｔ１」により識別されるテンプレート画像Ｇ１は、「山田Ｊ朗」作の漫画から抽出されたことを示す。
【００８５】
ここで、ユーザが、「山田Ｊ朗」作のコミックＢ１の１０ページ目と１１ページ目（図７Ａに示す内容ページＰ３）を表示するよう指定したとする。これにより、端末装置１０は、著者名「山田Ｊ朗」を含む広告リクエストを配信装置２００に送信する。そして、要求受付部２３２により、著者名「山田Ｊ朗」を含む広告リクエストが受け付けられると、取得部２３３は、画像情報記憶部２２１ｂを参照し、著者名「山田Ｊ朗」が対応付けられるテンプレート画像を取得する。取得部２３３は、内容ページＰ３には２つの広告枠（広告枠Ｆ２およびＦ３）が含まれることから、図７Ｂの例では、テンプレート画像Ｇ１ａおよびＧ１ｂを配信対象として取得する。
【００８６】
また、取得部２３３は、テンプレート画像Ｇ１ａには広告カテゴリ「女性用」、テンプレート画像Ｇ１ｂには広告カテゴリ「男性用」がぞれぞれ対応付けられていることから、広告情報記憶部２２２を参照し、広告情報ＡＤ１およびＡＤ２を取得する。
【００８７】
そして、配信部２３４は、テンプレート画像Ｇ１ａと広告情報ＡＤ１とを一体化した広告コンテンツ「Ｇ１ａ＋ＡＤ１」と、テンプレート画像Ｇ１ｂと広告情報ＡＤ２とを一体化した広告コンテンツ「Ｇ１ｂ＋ＡＤ２」を端末装置１０に配信する。そして、端末装置１０は、広告コンテンツ「Ｇ１ａ＋ＡＤ１」を広告枠Ｆ２に、広告コンテンツ「Ｇ１ｂ＋ＡＤ２」を広告枠Ｆ３にそれぞれ配置した内容ページＰ３を表示する。
【００８８】
ここで、図７Ｃは、端末装置１０の表示画面１３に表示された内容ページＰ３の一例を示す図である。端末装置１０により内容ページＰ３が表示されることにより、図７Ｃに示すように、テンプレート画像Ｇ１ａに含まれる吹き出しに広告情報ＡＤ１が挿入された広告コンテンツ「Ｇ１ａ＋ＡＤ１」が広告枠Ｆ２に表示され、テンプレート画像Ｇ１ｂに含まれる吹き出しに広告情報ＡＤ２が挿入された広告コンテンツ「Ｇ１ｂ＋ＡＤ２」が広告枠Ｆ３に表示される。
【００８９】
このように、配信装置２００は、ユーザにより閲覧される電子書籍の著者と同一の原作者の書籍から抽出されたテンプレート画像を取得し、取得したテンプレート画像を含む広告コンテンツを電子書籍とともに表示させる。これにより、配信装置２００は、ユーザにより閲覧される電子書籍の描写タッチとテンプレート画像の描写タッチを統一することができるため、ユーザに違和感を与えることなく電子書籍に広告コンテンツを溶け込ませることができる。これにより、配信装置２００は、ユーザに対し無意識のうちに広告コンテンツをクリックさせることができるため広告効果を高めることができる。また、配信装置２００は、ユーザに対し、テンプレート画像掲載元の書籍への興味を高めることもできる。
【００９０】
〔４−３．電子書籍と画像情報との統一〕
上記変形例「４−２」では、取得部２３３が、ユーザにより閲覧される電子書籍の著者と同一の原作者の書籍から抽出されたテンプレート画像を取得する例を示した。しかし、取得部２３３は、ユーザにより閲覧される電子書籍に含まれるテンプレート画像を配信対象として取得してもよい。例えば、取得部２３３は、ユーザにより閲覧される電子書籍に含まれるテンプレート画像であって、ユーザにより閲覧される電子書籍に登場するキャラクターを含むテンプレート画像を取得する。そして、配信部２３４は、取得されたテンプレート画像を含む広告コンテンツを、かかる電子書籍とともに表示されるように配信してもよい。このような場合、配信装置２００は、図３に示した、画像情報記憶部２２１の代わりに画像情報記憶部２２１ｃを有する。
【００９１】
図８は、著書に対応する画像情報記憶部の一例を示す図である。図８に示すように、画像情報記憶部２２１ｃには、項目「著書名」がさらに含まれる。また、ここでの「テンプレート画像」は、対応する著書（著書名）のいずれかのページの１コマから抽出された画像情報を示すとともに、対応する著書に登場するキャラクターを含むものである。すなわち、図８の例では、画像ＩＤ「Ｔ１」により識別されるテンプレート画像Ｇ１ｃは、「コミックＢ１」から抽出されたことを示す。
【００９２】
ここで、ユーザが、コミックＢ１の１０ページ目と１１ページ目（図７Ａに示す内容ページＰ３）を表示するよう指定したとする。これにより、端末装置１０は、著書名「コミックＢ１」を含む広告リクエストを配信装置２００に送信する。そして、要求受付部２３２により、著書名「コミックＢ１」を含む広告リクエストが受け付けられると、取得部２３３は、画像情報記憶部２２１ｃを参照し、著書名「コミックＢ１」が対応付けられるテンプレート画像を取得する。取得部２３３は、内容ページＰ３には２つの広告枠（広告枠Ｆ２およびＦ３）が含まれることから、図８の例では、テンプレート画像Ｇ１ｃおよびＧ１ｄを配信対象として取得する。
【００９３】
また、取得部２３３は、テンプレート画像Ｇ１ｃには広告カテゴリ「女性用」、テンプレート画像Ｇ１ｄには広告カテゴリ「男性用」がぞれぞれ対応付けられていることから、広告情報記憶部２２２を参照し、広告情報ＡＤ１およびＡＤ２を取得する。
【００９４】
そして、配信部２３４は、テンプレート画像Ｇ１ｃと広告情報ＡＤ１とを一体化した広告コンテンツ「Ｇ１ｃ＋ＡＤ１」と、テンプレート画像Ｇ１ｄと広告情報ＡＤ２とを一体化した広告コンテンツ「Ｇ１ｂ＋ＡＤ２」を端末装置１０に配信する。
【００９５】
これにより、配信装置２００は、ユーザにより閲覧される電子書籍の描写タッチとテンプレート画像の描写タッチを統一することができるため、ユーザに違和感を与えることなく電子書籍に広告コンテンツを溶け込ませることができる。これにより、配信装置２００は、ユーザに対し無意識のうちに広告コンテンツをクリックさせることができるため広告効果を高めることができる。
【００９６】
〔４−４．複数の広告枠に複数の画像情報表示〕
さて、これまで、１つの広告枠には、１つのテンプレート画像が表示される例を示した。しかし、取得部２３３は、複数の画像情報を取得し、配信部２３４は、取得された複数の画像情報ぞれぞれを、複数の広告枠それぞれに表示されるように配信してもよい。例えば、取得部２３３は、複数の画像情報として、これまで説明してきたテンプレート画像と、吹き出しと、背景画像といった３つの画像情報を配信対象として取得してもよい。この点について、図９を用いて説明する。
【００９７】
図９Ａは、複数の広告枠それぞれに画像情報を表示する処理の説明図である。図９Ａに示すウェブページＰ１は、図１に示したものと同様に、カテゴリ「恋愛」で検索された場合の検索結果一覧ページである。しかし、かかる変形例では、ウェブページＰ１には、図９Ａに示すように、広告枠Ｆ４ａと、広告枠Ｆ４ｂと、広告枠Ｆ４ｃといった３つの広告枠が縦方向に隣接した状態で含まれる。そして、図９Ａに示すように、かかる３つの広告枠のうち、上部の広告枠Ｆ４ａには「吹き出し」が、中央の広告枠Ｆ４ｂには「テンプレート画像」が、下部の広告枠Ｆ４ｃには「背景画像」が、それぞれ表示されることが予め決められているとする。また、このような場合、配信装置２００は、図３に示した、画像情報記憶部２２１の代わりに画像情報記憶部２２１ｄを有する。
【００９８】
図９Ｂは、複数の広告枠それぞれに画像情報を表示する場合における画像情報記憶部２２１ｄの一例を示す図である。図９Ｂに示すように、画像情報記憶部２２１ｄには、項目「作品情報」、「作品集ページＵＲＬ」、「吹き出し」および「背景画像」がさらに含まれる。
【００９９】
なお、「テンプレート画像」は、図３で示した画像情報記憶部２２１の「テンプレート画像」と同様に、所定の書籍に含まれる画像情報を示す。例えば、配信装置２００の管理者は、ウェブサイト「マンガ大全集Ｚ」で扱われる書籍、および、かかる書籍がデジタル化された電子書籍、あるいは、新聞や雑誌等から画像情報を抽出し、抽出した画像情報を「テンプレート画像」として画像情報記憶部２２１ｄに登録する。
【０１００】
「作品情報」は、対応するテンプレート画像掲載元の作品であるコンテンツ（例えば、著書）の名称（例えば、作品名）や、かかるコンテンツの製作者名（例えば、著者名）を示す。「作品集ページＵＲＬ」は、対応するテンプレート画像掲載元の作品であるコンテンツの著者の各種作品を紹介している作品集ページへのリンク情報を示し、配信部２３４により対応するテンプレート画像に貼り付けられる。例えば、図９Ｂでは、テンプレート画像Ｇ１１に作品集ページＵＲＬ「ｘｘｘ１．ｃｏｍ」が対応付けられている。かかる場合、端末装置１０に表示されたテンプレート画像Ｇ１１がユーザにより指定された場合には、例えば、現在表示中の電子書籍ページから、「ｘｘｘ１．ｃｏｍ」が示す作品集ページに遷移する。
【０１０１】
「吹き出し」は、対応するテンプレート画像や背景画像とともに表示され、吹き出しには、取得部２３３により取得された所定の広告情報が挿入される。また、このような「吹き出し」は、「テンプレート画像」と同様に、ウェブサイト「マンガ大全集Ｚ」で扱われる書籍、および、かかる書籍がデジタル化された電子書籍等から抽出されたものであってもよいし、例えば、配信装置２００の管理者により、広告枠Ｆ４ａのサイズに合わせて作成されてもよい。
【０１０２】
「背景画像」は、対応するテンプレート画像や吹き出しとともに表示され、背景画像には、取得部２３３により取得された所定の広告情報が挿入される。また、このような「背景画像」は、例えば、集中線、花模様等、多くの漫画で頻繁に用いられる背景であることが好ましい。さらに、「背景画像」は、「テンプレート画像」と同様に、ウェブサイト「マンガ大全集Ｚ」で扱われる書籍、および、かかる書籍がデジタル化された電子書籍等から抽出されたものであってもよいし、例えば、配信装置２００の管理者により、広告枠Ｆ４ｃのサイズに合わせて作成されてもよい。なお、吹き出しと背景画像には、ぞれぞれ異なる広告情報が挿入されることが好ましいが、同様の広告情報が挿入されてもよい。
【０１０３】
すなわち、図９Ｂでは、画像ＩＤ「Ｔ１」によって識別されるテンプレート画像Ｇ１１が、コミックカテゴリ「恋愛」に属し、広告カテゴリ「女性用」が対応付けられている例を示す。また、テンプレート画像Ｇ１１の掲載元のコンテンツは、著者「斉藤Ｔ作」による著書「ＳＡ１」である、すなわちテンプレート画像Ｇ１１は、著者「斉藤Ｔ作」による著書「ＳＡ１」から抽出された画像情報であることを示す。また、テンプレート画像Ｇ１１には、作品集ページＵＲＬ「ｘｘｘ１．ｃｏｍ」、吹き出し「吹き出しＢａ１」、背景画像「集中線Ｃｏ１」が対応付けられている例を示す。なお、図９Ｂでは、登録されているテンプレート画像に拘わらず、テンプレート画像それぞれに同様の吹き出しおよび背景画像（集中線）が対応付けられている例を示すが、テンプレート画像毎に、異なる吹き出しおよび背景画像が対応付けられてもよい。
【０１０４】
そして、例えば、要求受付部２３２により、カテゴリ「恋愛」を含む広告リクエストが受け付けられると、取得部２３３は、画像情報記憶部２２１ｄを参照し、コミックカテゴリ「恋愛」が対応付けられるテンプレート画像Ｇ１１を取得する。また、取得部２３３は、取得したテンプレート画像Ｇ１１に対応づけられる作品情報「作品名：ＳＡ１、著者：斉藤Ｔ作」、作品集ページＵＲＬ「ｘｘｘ１．ｃｏｍ」、吹き出しＢａ１、集中線Ｃｏ１を取得する。
【０１０５】
また、取得部２３３は、取得したテンプレート画像Ｇ１１に広告カテゴリ「女性用」が対応付けられていることにより、広告情報記憶部２２２を参照し、広告カテゴリ「女性用」が対応付けられている広告情報のうち、ｅＣＰＭの高い上位２つの広告情報として、広告情報ＡＤ１およびＡＤ３を配信対象として取得する。広告情報ＡＤ１は、上記のように「乾燥肌にはＡＢ化粧水が効果的！」といったテキスト情報であり、広告情報ＡＤ３は、「急募！９月入社、女性歓迎の求人」といったテキスト情報であるものとする。また、取得部２３３は、広告情報ＡＤ１に対応付けられる広告詳細ページのＵＲＬ「ａａａ．ｃｏｍ」および広告情報ＡＤ３に対応付けられる広告詳細ページのＵＲＬ「ｃｃｃ．ｃｏｍ」も取得する。
【０１０６】
そして、配信部２３４は、テンプレート画像Ｇ１１の所定箇所に作品情報「作品名：ＳＡ１、著者：斉藤Ｔ作」を挿入するとともに、テンプレート画像Ｇ１１に作品集ページＵＲＬ「ｘｘｘ１．ｃｏｍ」を貼り付ける。
【０１０７】
また、配信部２３４は、吹き出しＢａ１に広告情報ＡＤ１を挿入した広告コンテンツ「Ｂａ１＋ＡＤ１」を生成するとともに、生成した広告コンテンツ「Ｂａ１＋ＡＤ１」に広告詳細ページのＵＲＬ「ａａａ．ｃｏｍ」を貼り付ける。なお、配信部２３４は、ＵＲＬ「ａａａ．ｃｏｍ」をユーザに視認可能な状態で、広告コンテンツ「Ｂａ１＋ＡＤ１」に貼り付けてもよい。さらに、配信部２３４は、広告コンテンツ「Ｂａ１＋ＡＤ１」が広告であることをユーザに認識させるために、広告コンテンツ「Ｂａ１＋ＡＤ１」の所定箇所に「ＰＲ」といった表記を挿入してもよい。
【０１０８】
また、配信部２３４は、集中線Ｃｏ１に広告情報ＡＤ３を挿入した広告コンテンツ「Ｃｏ１＋ＡＤ３」を生成するとともに、生成した広告コンテンツ「Ｃｏ１＋ＡＤ３」に広告詳細ページのＵＲＬ「ｃｃｃ．ｃｏｍ」を貼り付ける。なお、配信部２３４は、ＵＲＬ「ｃｃｃ．ｃｏｍ」をユーザに視認可能な状態で、広告コンテンツ「Ｃｏ１＋ＡＤ３」に貼り付けてもよい。さらに、配信部２３４は、広告コンテンツ「Ｃｏ１＋ＡＤ３」が広告であることをユーザに認識させるために、広告コンテンツ「Ｃｏ１＋ＡＤ３」の所定箇所に「ＰＲ」といった表記を挿入してもよい。
【０１０９】
そして、配信部２３４は、広告コンテンツ「Ｂａ１＋ＡＤ１」が広告枠Ｆ４ａに、テンプレート画像Ｇ１１が広告枠Ｆ４ｂに、広告コンテンツ「Ｃｏ１＋ＡＤ３」が広告枠Ｆ４ｃにそれぞれ表示されるように、これらを端末装置１０に配信する。
【０１１０】
ここで、図９Ｃは、複数の広告枠それぞれに画像情報が表示された場合の一例を示す図である。図９Ｃに示すように、端末装置１０は、広告枠Ｆ４ａに広告コンテンツ「Ｂａ１＋ＡＤ１」を、広告枠Ｆ４ｂにテンプレート画像Ｇ１１を、広告枠Ｆ４ｃに広告コンテンツ「Ｃｏ１＋ＡＤ３」を、それぞれ配置したウェブページＰ１を表示する。
【０１１１】
このように、配信装置２００は、ユーザに閲覧されるコンテンツ（電子書籍）に関連するテンプレート画像と、広告情報を挿入した吹き出しと、広告情報を挿入した背景画像といった複数の画像情報を隣接する複数の広告枠それぞれに表示させる。例えば、このような複数の画像情報のうち、吹き出しのみや背景画像のみが電子書籍とともに表示された場合、ユーザによっては、その画像情報が何を意味しているのか理解し難い場合がある。しかし、配信装置２００は、テンプレート画像とともに、吹き出しや背景画像を表示させることができるため、広告枠の中で一種の物語を作り上げることができる。このため、配信装置２００は、電子書籍そのものだけでなく、広告情報へもユーザの注意を引き付けることができるため、広告効果を高めることができる。
【０１１２】
〔４−５．１つの広告枠に複数の画像情報表示〕
上記変形例「４−４」では、取得部２３３が、所定の複数の広告枠に表示される複数の画像情報を取得し、配信部２３４が、取得された複数の画像情報それぞれを、かかる所定の複数の広告枠に表示させる例について説明した。しかし、取得部２３３は、複数の画像情報を取得し、配信部２３４は、取得された複数の画像情報を一体化した一体化情報を１つの広告枠に表示させてもよい。
【０１１３】
まず、変形例「４−４」では、図９Ａに示すように、複数の広告枠として、隣接する広告枠Ｆ４ａ〜Ｆ４ｃを例示した。しかし、ここでは、隣接する広告枠Ｆ４ａ〜Ｆ４ｃを結合させた１つの広告枠Ｆ４が、ウェブページＰ１に含まれているものとする。
【０１１４】
そして、例えば、変形例「４−４」で示したように、取得部２３３は、テンプレート画像Ｇ１１を取得するとともに、テンプレート画像Ｇ１１に対して、作品情報「作品名：ＳＡ１、著者：斉藤Ｔ作」、作品集ページＵＲＬ「ｘｘｘ１．ｃｏｍ」、吹き出しＢａ１、集中線Ｃｏ１を取得したとする。
【０１１５】
また、同様に、取得部２３３は、テンプレート画像Ｇ１１、吹き出しＢａ１、集中線Ｃｏ１を取得したことにより、吹き出しＢａ１および集中線Ｃｏ１に挿入する広告情報ＡＤ１およびＡＤ３を取得したとする。
【０１１６】
ここで、配信部２３４は、図９Ｃに示すように、吹き出しＢａ１に広告情報ＡＤ１を挿入した広告コンテンツ「Ｂａ１＋ＡＤ１」を上部に、テンプレート画像Ｇ１１を中部に、集中線Ｃｏ１に広告情報ＡＤ３を挿入した広告コンテンツ「Ｃｏ１＋ＡＤ３」を下部になるように、これらを一体化した一体化情報を生成する。そして、配信部２３４は、このように生成した一体化情報を広告枠Ｆ４に表示するように端末装置１０に配信する。
【０１１７】
〔４−６．画像情報の自動抽出〕
上記各実施形態では、画像情報記憶部２２１および画像情報記憶部２２１ａ〜２２１ｄに登録されるテンプレート画像は、予め管理者等によって所定の書籍等から抽出されるものとして説明してきた。しかし、取得部２３３が、動的に電子書籍のデータからテンプレート画像を抽出し、抽出したテンプレート画像を広告情報記憶部２２１等に格納しておいてもよい。
【０１１８】
例えば、電子書籍サーバ１００は、電子書籍が新たに投稿される度に、投稿を受け付けた電子書籍のデータを配信装置２００に送信する。また、配信装置２００が定期的に電子書籍サーバ１００にアクセスし、電子書籍のデータを取得してもよい。そして、取得部２３３は、電子書籍サーバ１００から受け付けた電子書籍の所定のページについて画像解析を行い、そのページで登場頻度の高いキャラクターや主人公等を判定する。そして、取得部２３３は、判定結果のキャラクターを含む１コマをテンプレート画像として抽出し、画像情報記憶部２２１に登録する。また、取得部２３３は、テンプレート画像抽出元の電子書籍の属するカテゴリをコミックカテゴリとして、抽出したテンプレート画像に対応付けて格納する。
【０１１９】
また、取得部２３３は、広告リクエストが受け付けられた場合に、画像情報記憶部２２１からテンプレート画像を取得するのではなく、電子書籍からテンプレート画像を抽出し、抽出したテンプレート画像を配信対象として用いてもよい。例えば、図７Ａで示したように、ユーザが内容ページＰ３を指定した場合に、端末装置１０が内容ページＰ３のデータを広告リクエストともに配信装置２００に送信する。
【０１２０】
そして、取得部２３３は、内容ページＰ３について画像解析を行い、例えば、登場頻度の高いキャラクターや主人公等を判定し、判定結果のキャラクターを含む１コマをテンプレート画像として抽出する。
【０１２１】
なお、かかる例のように、端末装置１０は、ユーザに指定された内容ページのデータのみを配信装置２００に送信するのではなく、ユーザに指定された内容ページ掲載元の電子書籍全体のデータを広告リクエストとともに配信装置２００に送信してもよい。これにより、取得部２３３は、ユーザに閲覧されている電子書籍のいずれかのページからテンプレート画像を抽出する。また、このような抽出処理は、必ずしも取得部２３３によって行われる必要はなく、例えば、配信装置２００は、抽出処理を行う抽出部をさらに有してもよい。
【０１２２】
〔４−７．配信処理〕
上記各実施形態では、配信部２３４が、テンプレート画像と広告情報とを一体化して配信する例を示した。しかし、配信部２３４は、テンプレート画像と広告情報とが一体化されていない状態で配信してもよい。かかる場合には、端末装置１０によりテンプレート画像と広告情報が一体化される。
【０１２３】
〔４−８．ハードウェア構成〕
上述してきた実施形態にかかる配信装置２００は、例えば、図１０に示すような構成のコンピュータ１０００によって実現される。図１０は、配信装置２００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１２４】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１２５】
ＨＤＤ１４００は、ＣＰＵ１１００によって実行されるプログラム、および、かかるプログラムによって使用されるデータ等を格納する。通信インターフェイス１５００は、通信網５０を介して他の機器からデータを受信してＣＰＵ１１００へ送り、ＣＰＵ１１００が生成したデータを通信網５０を介して他の機器へ送信する。
【０１２６】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１２７】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２８】
例えば、コンピュータ１０００が実施形態にかかる配信装置２００として機能する場合、コンピュータ１０００のＣＰＵ１１００は、ＲＡＭ１２００上にロードされたプログラムを実行することにより、制御部２３０の機能を実現する。コンピュータ１０００のＣＰＵ１１００は、これらのプログラムを記録媒体１８００から読み取って実行するが、他の例として、他の装置から通信網５０を介してこれらのプログラムを取得してもよい。
【０１２９】
〔５．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１３０】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１３１】
また、上述してきた各実施形態は、処理内容を矛盾させない範囲で適宜組み合わせることが可能である。
【０１３２】
〔６．効果〕
実施形態にかかる配信装置２００は、取得部２３３と、配信部２３４とを有する。取得部２３３は、書籍に含まれる画像情報と所定のテキスト情報とを取得する。配信部２３４は、取得部２３３により取得された画像情報とテキスト情報とを、電子書籍とともに表示される表示枠に表示されるように配信する。
【０１３３】
これにより、実施形態にかかる配信装置２００は、テキスト情報へのユーザの興味を高めることができるため、テキスト情報の訴求力を向上させることができる。
【０１３４】
また、取得部２３３は、電子書籍に関連する画像情報を取得する。
【０１３５】
これにより、実施形態にかかる配信装置２００は、ユーザに閲覧される電子書籍の中に自然な形で画像情報を溶け込ませることができる。
【０１３６】
また、取得部２３３は、電子書籍の属するカテゴリと一致するカテゴリに属する画像情報を配信対象の画像情報として取得する。
【０１３７】
これにより、実施形態にかかる配信装置２００は、ユーザに閲覧される電子書籍の中に自然な形で画像情報を溶け込ませることができる。
【０１３８】
また、取得部２３３は、電子書籍に含まれるキャラクターを含む画像情報を配信対象の画像情報として取得する。
【０１３９】
これにより、実施形態にかかる配信装置２００は、ユーザが閲覧している電子書籍に登場するキャラクターがテキスト情報をアピールしているかのごとく見せることができるため、テキスト情報の訴求力を向上させることができる。
【０１４０】
また、取得部２３３は、電子書籍を閲覧するユーザのユーザ属性に対応する画像情報を配信対象の画像情報として取得する。
【０１４１】
これにより、実施形態にかかる配信装置２００は、画像情報に対するユーザの興味を高めることができる。
【０１４２】
また、取得部２３３は、電子書籍の著者と同一の著者の書籍に含まれる画像情報を配信対象の画像情報として取得する。
【０１４３】
これにより、実施形態にかかる配信装置２００は、ユーザに閲覧される電子書籍の描写タッチと、画像情報の描写タッチを統一することができるため、ユーザに閲覧される電子書籍の中に自然な形で画像情報を溶け込ませることができる。
【０１４４】
取得部２３３は、電子書籍に含まれる画像情報を配信対象の画像情報として取得する。
【０１４５】
これにより、実施形態にかかる配信装置２００は、ユーザに閲覧される電子書籍の中に自然な形で画像情報を溶け込ませることができる。
【０１４６】
取得部２３３は、所定のテキスト情報として、所定の広告情報を取得する。
【０１４７】
これにより、実施形態にかかる配信装置２００は、画像情報とともに広告情報を表示させることができるため、広告情報へのユーザの興味を高め、広告情報の訴求効果を高めることができる。
【０１４８】
取得部２３３は、配信対象として取得した画像情報に応じた広告情報を配信対象の広告情報として取得する。
【０１４９】
これにより、実施形態にかかる配信装置２００は、ユーザに対し画像情報と広告情報との間に違和感を与えることなく、これらを共に提示することができる。
【０１５０】
取得部２３３は、配信対象として取得した画像情報の属するカテゴリと一致するカテゴリに属する広告情報を配信対象の広告コンテンツとして取得する。
【０１５１】
これにより、実施形態にかかる配信装置２００は、ユーザに対し画像情報と広告情報との間に違和感を与えることなく、これらを共に提示することができる。
【０１５２】
配信部２３４は、取得部２３３により取得された画像情報とテキスト情報とを一体化した一体化情報を配信する。
【０１５３】
このように、実施形態にかかる配信装置２００は、画像情報とテキスト情報（広告情報）とを一体化したものを表示させることにより、テキスト情報の訴求効果を向上させることができる。
【０１５４】
配信部２３４は、取得部２３３により取得された画像情報に含まれる吹き出しに、取得部２３３により取得されたテキスト情報を挿入した一体化情報を配信する。
【０１５５】
これにより、実施形態にかかる配信装置２００は、例えば、画像情報に含まれるキャラクターが広告情報をアピールしているかのごとく見せることができるため、テキスト情報の訴求効果を向上させることができる。
【０１５６】
また、取得部２３３は、複数の画像情報を取得し、配信部２３４は、取得部２３３により取得された複数の画像情報と、テキスト情報とを電子書籍とともに表示される表示枠に表示されるように配信する。
【０１５７】
これにより、実施形態にかかる配信装置２００は、表示枠中で物語を作り上げることができるため、表示枠中のテキスト情報へのユーザの注意を高めることができるため、広告効果を高めることができる。
【０１５８】
また、配信部２３４は、隣接する複数の表示枠それぞれに、取得部２３３により取得された複数の画像情報それぞれと、テキスト情報とが表示されるように配信する。
【０１５９】
これにより、実施形態にかかる配信装置２００は、表示枠中で物語を作り上げることができるため、表示枠中のテキスト情報へのユーザの注意を高めることができるため、広告効果を高めることができる。
【０１６０】
また、配信部２３４は、１つの表示枠に、取得部２３３により取得された複数の画像情報とテキスト情報とを一体化した一体化情報が表示されるように配信する。
【０１６１】
これにより、実施形態にかかる配信装置２００は、表示枠中で物語を作り上げることができるため、表示枠中のテキスト情報へのユーザの注意を高めることができるため、広告効果を高めることができる。
【０１６２】
また、取得部２３３は、ユーザにより指定された場合に、広告情報の詳細ページに遷移する画像情報を取得する。
【０１６３】
これにより、実施形態にかかる配信装置２００は、広告情報の詳細ページへよりユーザを誘導し易くすることができる。
【０１６４】
また、取得部２３３は、ユーザにより指定された場合に、作品集ページへ遷移する画像情報を取得する。
【０１６５】
これにより、実施形態にかかる配信装置２００は、著者の作品集ページへよりユーザを誘導し易くすることができるため、ユーザが閲覧している電子書籍との関連作品の宣伝や、かかる関連作品への興味を高めることができる。
【０１６６】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１６７】
また、上述してきた「部（section、module、unit）」は、「手段」や「回路」などに読み替えることができる。例えば、取得部は、取得手段や取得回路に読み替えることができる。
【符号の説明】
【０１６８】
１  広告配信システム
１０  端末装置
１００  電子書籍サーバ
２００  配信装置
２２０  記憶部
２２１  画像情報記憶部
２２２  広告情報記憶部
２３０  制御部
２３１  入稿受付部
２３２  要求受付部
２３３  取得部
２３４  配信部
【図１】
0006791775.tif 000002
【図２】
0006791775.tif 000003
【図３】
0006791775.tif 000004
【図４】
0006791775.tif 000005
【図５】
0006791775.tif 000006
【図６】
0006791775.tif 000007
【図７Ａ】
0006791775.tif 000008
【図７Ｂ】
0006791775.tif 000009
【図７Ｃ】
0006791775.tif 000010
【図８】
0006791775.tif 000011
【図９Ａ】
0006791775.tif 000012
【図９Ｂ】
0006791775.tif 000013
【図９Ｃ】
0006791775.tif 000014
【図１０】
0006791775.tif 000015